(57)【特許請求の範囲】
【請求項１】
複数の線材が交差されてなるフェンス本体の前記線材に沿って紐状体が支持具により支持されてなるフェンスであって、支持具は少なくとも前記線材の交差部と紐状体とを重ねて挿入可能な深さの十字形の溝が形成された支持具本体と、係止手段を介して前記支持具本体の上部に嵌着されると共に前記溝内の線材及び紐状体を隠蔽する蓋部とを備えたフェンス。
【請求項２】
支持具本体と蓋部とは薄肉部で連結され、前記薄肉部で折曲されて、支持具本体の上部に蓋部が嵌着されるようになされたことを特徴とする請求項１に記載のフェンス。
【請求項３】
係止手段は、蓋部より突出した爪片と、前記爪片を係止する支持具本体に形成された係止段部とからなる請求項１又は２に記載のフェンス。
【発明の詳細な説明】
【技術分野】
【０００１】
本発明は、建物や工場等の敷地に対して、外部からの人や動物の侵入を感知する感知ケーブルや照明灯を点灯するための電力線等の紐状体を支持したフェンスに関するものである。
【背景技術】
【０００２】
一般に、発変電所、ライフライン施設、空港、港湾等の重要施設、あるいは工場や集合住宅等においては、外部から人や動物の侵入を防ぐために敷地境界部にフェンスが設けられている。又、人がフェンスをよじ登ったり、あるいはフェンスの一部を切断して、敷地内に不正に侵入しようとした場合に備え、フェンスに感知ケーブル等の紐状体を取付けることによって、フェンスに起こる衝撃、切断、曲げ等による振動をこの感知ケーブルで感知し、この感知信号によってフェンスに付設された警報灯等の警報設備を作動させたり、警備室等に通報するようなフェンスが提案されている。
【０００３】
この感知ケーブルは、工場等の比較的広い敷地の境界部のフェンスに沿って長さ方向に取付けられ、感知ケーブルの支持方法は比較的作業が容易な結束バンドによってなされることが多いが、見栄えを良くするために感知ケーブル取付け後に結束バンドの余剰部分を切り取って回収する必要があり、その点が非常に煩雑であった。又、上記の振動を感知しやすくするために、感知ケーブルをＵ字状あるいはＶ字状に曲げて上下方向にも配置する場合がある。感知ケーブルをフェンスの線材の交差部で支持する際は、通常の結束バンドでは線材に沿ってほぼ９０度に折り曲げて支持することは困難であり、線材に沿わずに離れた部分が生じるため、その部分は風等により誤感知しやすくなるおそれがあり、又、感知ケーブルの配置が外部から認識されやすくなるという問題点があった。又、感知ケーブルをフェンスの線材の交差部以外で支持される場合は、結束バンドがフェンスの線材に沿ってずれる場合があり、感知ケーブルに弛みや撓みが生じやすくなり、前記と同様な問題点が発生するおそれがあった。そこで、フェンスに管材を取付け、その管内に感知ケーブルを配設させたものが提案されている（例えば、特許文献１参照。）。
【０００４】
このフェンスは、所定の間隔で地面に立設された支柱と、支柱の間に上下に間隔を開けて配列された管路形成部材とを有し、感知ケーブルがこの管路形成部材の内部に配設されたフェンスであり、これにより、感知妨害手段が講じられにくくすると共に、感知ケーブルが外部に露出せず、美観が損なわれないようになされたものである。
【特許文献１】特開昭６４−６４７８号公報
【０００５】
しかしながら、前記のフェンスには次のような問題点があった。すなわち、外部から感知ケーブルが隠蔽されているため認識されにくいが、管路形成部材に配置されているため、前記侵入行為によりフェンス発生した振動の一部は管路形成部材によって吸収されるため、フェンスに直接取付けられているものよりも感知されにくいものであった。又、フェンスの設置が長距離に及ぶ場合、感知ケーブルを管路形成部材の中を通す取付作業は容易ではなく、非常に煩雑なものであった。
【発明の開示】
【発明が解決しようとする課題】
【０００６】
本発明は、前記の如き問題点を解消し、感知ケーブルのような紐状体の取付作業が容易となると共に、この紐状体をフェンスに対して目立ちにくく取付けることができるフェンスを提供せんとするものである。
【課題を解決するための手段】
【０００７】
上記目的を達成するために、本発明は次のような構成としている。
すなわちこの発明に係るフェンスは、複数の線材が交差されてなるフェンスの前記線材に沿って紐状体が支持具により支持され、支持具は少なくとも前記線材の交差部と紐状体とが挿入可能な深さの十字形の溝が形成された支持具本体と、係止手段を介して前記支持具本体の上部に嵌着されると共に前記溝内の線材及び紐状体を隠蔽する蓋部とを備えたことを特徴とするものである。
【発明の効果】
【０００８】
本発明によれば、感知ケーブル等の紐状体をフェンスの線材の交差部で支持具によって支持する際、この紐状体は支持具本体の十字溝に沿って直線的にも折り曲げても配置できる。このため、紐状体はフェンスの線材に対して任意の配置に取付けることができるが、紐状体を支持具で折り曲げる場合、溝部に支持されて弛みや撓みが生じにくくなるため、線材に接しながら配置させフェンスに対して目立ちにくいように取付けることもできる。又、支持具は支持具本体に蓋部を嵌着されれば、結束バンドで支持する際ような後処理は必要ないので、紐状体の取付作業が容易となる。
【０００９】
又、支持具本体と蓋部とは薄肉部で連結され、前記薄肉部で折曲されて、支持具本体の上部に蓋部が嵌着されるようになされれば、支持具本体と蓋部との嵌着位置の高度な調整作業が必要なくなるため、紐状体をフェンスに取付ける際、支持具の蓋部の位置がフェンスの手前側でも奥側でも、取付作業が容易であり、紐状体を結束バンドで支持する場合や、管材に配設する場合に比べて、作業時間の短縮が図れる。
【００１０】
更に、係止手段は、蓋部より突出した爪片と、前記爪片を係止する金具本体に形成された係止段部とからなるようになされれば、爪片と係止段部の係合力を強くして容易に外れないようにすることによって、外部からの侵入者が感知ケーブル等の紐状体を外そうとしても、感知されないようフェンスから外すことが困難となる。
【発明を実施するための最良の形態】
【００１１】
次に、本発明を実施するための最良の形態について図面を参照し、具体的に説明する。
【００１２】
すなわち、図１は本発明に係るフェンスの実施の一形態を示す正面図、図２は図１の側面図、
図３は図１の主要部の拡大斜視図、図４は図３の支持具の展開斜視図、図５は図１の紐状体（感知ケーブル）の部分斜視図である。
【００１３】
図面において、１はフェンス本体、２はフェンス本体１に取付けられる紐状体、３は紐状体２を支持してフェンス本体１に取付ける支持具３であり、本発明に係るフェンスＰは、これらフェンス本体１、紐状体２、及び支持具３から主に構成されている。
【００１４】
まず、フェンス本体１は、複数の線材１１を交差させてなるものであり、例えば、縦横の線材１１を格子状に組み合わせたもの、サインカーブ状あるいは鋸歯状等の波形に形成された線材１１を格子状に組み合わせたもの、線材１１が斜めに配置されて菱形状の網目が形成されたものが好ましい。また、線材１１の交差部は、溶接や止め金具等による接合、又は互いに絡み合わせた接合等の、交差部の接合が容易には外れないものが好ましい。
【００１５】
本形態に係るフェンス本体１は、いずれも亜鉛めっきが施された多数本の鉄製線材１１を格子状に組合せ、その格子の各交差部は電気溶接により接合され、更に表面全体を樹脂で被覆されたものであり、生産性、防錆性能、強度等を考慮すると本形態がより好ましい。
【００１６】
図１に示されたフェンス本体１は、地面に所定の間隔をおいて立設された支柱１２に取付けられたものである。尚、本形態では、図１及び２に示されるように、支柱１２は先端が内側に向かって傾斜しており、この傾斜部１３には忍び返しフェンス１４が取付けられている。この忍び返しフェンス１４は、フェンス本体１と同様に線材１１を格子状に組合せたもので、上端部は縦に配置させれた線材１１が横に配置された線材１１の最上端部から突出したものである。これによって、人がよじ登っても容易にはフェンスを越えられなくなる。
【００１７】
紐状体２は、フェンス本体１の線材１１に沿って取付けられるもので、一般には、外部からの侵入者を感知するための感圧ケーブルや振動感知ケーブル、フェンスに取付けられる照明灯や装置に対して屋外に配線できる電気コード等である。本形態では、紐状体２は、フェンス本体１に対して衝撃、切断、曲げ等によって発生する振動を電気信号に変換する圧電材料を利用した感知ケーブル２１が用いられ、更に、その一端にはこの電気信号を出力するコントローラー２２が、その他端には感知ケーブル２１の断線や短絡を検知する終端抵抗部２３がそれぞれ設けられている。
【００１８】
図５に示された感知ケーブル２１の構造は以下の通りである。すなわち、感知ケーブル２１は導電性芯線２４上に、圧電性材料からなる圧電層２５、導電層２６、及び絶縁性である外部被覆層２７とからなる。感知ケーブル２１に外力等が加えられて振動すると、圧電層２５においてその振動のエネルギーを電気的エネルギーに変換されて電気信号が発生する。そして、この電気信号が導電性芯線２４若しくは導電層２６を流れ、感知ケーブルの一端に接続されたコントローラー２２からその電気信号が出力され振動を検知するものである。
【００１９】
図３及び図４に示された支持具３は、紐状体２をフェンス本体１の線材１１に支持するものであり、フェンス本体１の線材１１と紐状体２とを重ねて挿入可能な深さの溝部３１が形成された支持具本体３２と、支持具本体３２と薄肉部３３で連結された蓋部３４とからなる。支持具本体３２の溝部３１は十字状に形成されている。尚、十字状とは線材１１の交差部１５が収まる形状のことであり、フェンス本体１の交差部１５の形態に合わせて任意に設定することができる。又、支持具本体３２及び蓋部３４の外側面には、作業者が掴んだ時に滑りにくいように、滑り止めを目的として本形態では凹凸条３５を形成させてもよく、これ以外に突起等を形成させてもよい。
【００２０】
フェンス本体１の線材１１と紐状体２とを支持具本体３２の溝部３１に重ねて挿入する際は、線材１１と紐状体２の上下関係はいずれでもよい。又、紐状体２は溝部３１に沿ってほぼ直角に折り曲げて配置することもできるし、直線的に配置することもできる。これによって、紐状体２を支持具３で折り曲げて配置する場合、紐状体２は溝部３１に支持されて弛みや撓みが生じにくくなり、２個の支持具３の間に配置された紐状体２も弛みや撓みが生じにくくなるため、線材１１に接しながら配置させてフェンス本体１に対して目立ちにくいように取付けることができる。
【００２１】
支持具３において、薄肉部３３で折曲させて、支持具本体３２の上部を蓋部３４で覆った際に、蓋部３４が支持具本体３２に以下に説明するような係止手段を介して嵌着される。
すなわち、蓋部３４には裏面の薄肉部３３に近接して位置決め用の突片３６を立設すると共に、これを基準に三個の爪片３７が９０度間隔で形成され、その先端に鉤状の係合突起３８が形成されている。これに対する支持具本体３２には溝部３１の残余部４０が爪片６と位置決め用の突片３６とが挿入可能な中空３９となされ、爪片３７が挿入される中空３９の内壁には爪片３７の先端に形成された係合突起３８と係合する係止段部(図示せず)が形成されている。そして、支持具本体３２の溝部３１にフェンス本体１の線材１１の交差部１５を挿入し、この挿入された交差部１５の上に紐状体２を重ねて挿入する。続いて、蓋部３４を薄肉部３３で支持具本体３２側に折り曲げ、突片３６及び爪片３７を支持具本体３２に形成された中空３９に挿入し、爪片３７の係合突起３８と中空３９の係止段部３９とを係合させ、蓋部３４を支持具本体３２に嵌着させる。又、これによって、溝部３１に挿入されたフェンス本体１の交差部１５と紐状体２が支持具３に隠蔽される。
【００２２】
このようになされれば、高度な位置調整なしに支持具本体３２に蓋部３４を嵌着させることができるため、支持具３をフェンス本体１に取付ける際、作業者がフェンス本体１に対してどちら側に位置していても、あるいは、蓋部３４がフェンス本体１の手前側あるいは奥側のどちらに位置していても、取付作業が容易となる。又、紐状体２を溝部３１で折り曲げる場合は、紐状体２が溝部３１の側壁部を押圧するように挿入すれば、押圧部位では紐状体２の長さ方向への移動や滑りに対する抵抗となるため、この紐状体２は位置ずれを起こしにくくなり、紐状体２の弛み等が生じにくくなる。
【００２３】
支持具本体３２の溝部３１の底部４１は、平坦でもよいが、フェンス本体１に断面円形の線材１１を用いる場合は、その形状に合わせて半円状の凹面としてもよい。底部４１がこのようになされれば、線材１１の交差部１５を溝部３１に挿入した際、交際部１５の縦方向あるいは横方向のいずれの線材１１が溝部３１の底部４１側に配置されても、この線材１１と底部４１とが当接面積が広くなり、この線材１１の長さ方向への移動や滑りに対する抵抗となるため、この線材１１の位置ずれが生じにくくなる。
【００２４】
支持具本体３２と蓋部３４との嵌着の強度は、爪片３７の係合突起３８、及び係止段部の係合幅によって調整できるため、係止段部の係合幅を比較的広くし、一旦係合すれば、人の力では容易に外れないようになされてもよい。こうすれば、支持具本体３２の蓋部３４を外そうとしても、その際に発生する振動が大きくなるので、この振動が容易に感知される。
【００２５】
又、支持具本体３２と蓋部３４との嵌着させる場合、爪片３７を溝部３１の中空３９に挿入させる際、爪片３７を撓ませ、爪片３７の係合突起３８が中空３９の内壁を押圧させるように爪片３７を形成させてもよい。こうようになされれば、支持具本体３２と蓋部３４とをより強力に嵌着させることができる。更に、溝部３１の中央部（図示せず）に面するように切欠面４２を溝部３１の残余部４０に形成させ、切欠面４２と前記中央部との交接部に立設するリブ４４を形成させると共に、この切欠面４２の裏面側に残余部４０の中空３９の内壁に形成される係止段部３９を配置するようにしてもよい。このようになされれば、爪片３７を溝部３１の中空３９に挿入させる際、爪片３７の係合突起３８は中空３９の内壁からより大きな押圧を受けるため、支持具本体３２と蓋部３４とをより強力に嵌着させることができると共に、嵌着させた後に支持具本体３２の残余部４０を外側面側から内部に向けて倒そうとしてしても、リブ４４によって容易には倒れないため、支持具本体３２と蓋部３４との嵌合が外れにくく、支持された紐状体２を支持具３からは容易には取出されないようになされている。
【００２６】
支持具３の材質は、フェンス本体１の線材１１と紐状体２を支持し、支持具本体３２と蓋部３４の嵌着を保持できる十分な強度を有していれば、特に限定されるものではないが、ポリエチレン、ポリプロピレン、ＡＢＳ樹脂、ＡＡＳ樹脂、ウレタン樹脂、ポリカーボネート、ポリエステル、ポリアミド等の合成樹脂や、アルミニウム合金等の金属材料が好ましい。
【図面の簡単な説明】
【００２７】
【図１】本発明に係るフェンスの実施の一形態を示す正面図である。
【図２】図１の側面図である。
【図３】図１の主要部の拡大斜視図である。
【図４】図３の支持具の展開斜視図である。
【図５】図１の紐状体（感知ケーブル）の分解斜視図である。
【符号の説明】
【００２８】
１    フェンス
１１  （鉄製）線材
１２  支柱
１３  傾斜部
１４  忍び返しフェンス
１５  交差部
２    紐状体
２１  感知ケーブル
２２  コントローラー
２３  終端抵抗部
２４  導電性芯材
２５  圧電層
２６  導電層
２７  外部被覆層
３    支持具
３１  溝部
３２  支持具本体
３３  薄肉部
３４  蓋部
３５  凹凸条
３６  突片
３７  爪片
３８  係合突起
３９  中空
４０  残余部
４１  底部
４２  切欠部
Ｐ    フェンス
【図１】
0004789185.tif 000002
【図２】
0004789185.tif 000003
【図３】
0004789185.tif 000004
【図４】
0004789185.tif 000005
【図５】
0004789185.tif 000006